(57)【要約】【課題】  ソフトで良好なタッチ感触を得る。【解決手段】  少なくとも検出装置に対する接触面を導電性の材料により形成するとともに該接触面を押圧されて内方へ弾性的に変形する押圧変形部２０と、内方へ変形した際の前記押圧変形部２０の内面を受ける受部３０と、これら押圧変形部２０及び受部３０の後方側に接続された軸筒１０とを具備して、検出装置に情報を入力する入力ペンにおいて、前記受部３０は、前記押圧変形部２０の内面を受けて弾性的に変形するように形成されている。【選択図】  図１
2014016728.tif 000002
【特許請求の範囲】
【請求項１】
少なくとも検出装置に対する接触面を導電性の材料により形成するとともに該接触面を押圧されて内方へ弾性的に変形する押圧変形部と、内方へ変形した際の前記押圧変形部の内面を受ける受部と、これら押圧変形部及び受部の後方側に接続された軸筒とを具備して、検出装置に情報を入力する入力ペンにおいて、
前記受部は、前記押圧変形部の内面を受けて弾性的に変形するように形成されていることを特徴とする入力ペン。
【請求項２】
前記受部を、前記押圧変形部よりも硬い弾性材料により形成したことを特徴とする請求項１記載の入力ペン。
【請求項３】
前記押圧変形部と前記受部との間に空間を設け、前記押圧変形部が内方へ変形した際に前記空間が狭まって前記押圧変形部の内面が前記受部に当接するようにしたことを特徴とする請求項１又は２記載の入力ペン。
【請求項４】
前記押圧変形部は、弾性を有する材料からなる弾性部と、該弾性部を覆って前記接触面を形成する導電性繊維部とを具備してなることを特徴とする請求項１乃至３何れか１項記載の入力ペン。
【発明の詳細な説明】
【技術分野】
【０００１】
本発明は、先端側部分を接触させて情報を入力する入力ペンに関し、特に、静電容量型位置検出装置用に対し位置情報等を入力するのに好適な入力ペンに関するものである。
【背景技術】
【０００２】
近年、携帯電話やタブレットＰＣ等のディスプレイには、静電容量型位置検出装置（タッチパネルと称される場合もある）が多く用いられている。この静電容量型位置検出装置に対する入力操作は、通常、指先によって行われるが、ネイルアート等のために爪先が静電容量型位置検出装置に当接して入力し難かったり、手袋の装着や指先の乾燥等に起因して入力ができなかったりする場合がある。そこで、軸筒の先端側に導電性ゴムを装着してなる入力ペンが用いられている。
【０００３】
ところで、前述した従来の静電容量型位置検出装置用の入力ペンでは、導電性ゴムが硬く、タッチ感触を損ねてしまったり、傾けた場合等に接触面積を確保できず良好な反応が得られなかったり等の課題を有する。
そこで、例えば、特許文献１に記載される発明では、静電容量型位置検出装置に接触させるための接触部材（５）を薄肉な半球状に形成し、この接触部材（５）をその後方側から真鍮製の芯体（３）によって支持するとともに接触部材（５）と芯体（３）の先端との間に中空部（５ｃ）を確保して、接触部材（５）の変形性を向上している。
【０００４】
しかしながら、前記従来技術によれば、入力ペンにより静電容量型位置検出装置（タッチパネル）を押すタップ操作の際に、操作者が押圧力を強くかけすぎた場合や、強く当てるようにしてタップ操作した場合等に、接触部材（５）が比較的大きく変形し、その変形した接触部材（５）の内面が真鍮製の芯体（３）に強くぶつかり、タップ操作の操作感触を損ねてしまうおそれがある。さらに、接触部材（５）の内面が、真鍮製の芯体（３）にぶつかった際の衝撃により、静電容量型位置検出装置等の機器を損傷させてしまう可能性もある。
また、静電容量型位置検出装置との接触部分にゴムを用いる構造であるため、接触部材（５）を静電容量型位置検出装置に押し付けたままスライドさせるドラッグ操作や、接触部材（５）を静電容量型位置検出装置に接触させてはらうようにして引き離すフリック操作をした場合に、ゴム製の接触部材（５）が滑り難く、操作性が損なわれてしまうという問題もある。
【先行技術文献】
【特許文献】
【０００５】
【特許文献１】特許第４８４０８９１号公報
【発明の概要】
【発明が解決しようとする課題】
【０００６】
本発明は、上記従来事情に対処することを課題の一例とするものである。すなわち、ソフトで良好なタッチ感触を得ること、操作感触を向上すること、静電容量型位置検出装置に対する衝撃を緩和すること等、が本発明の目的である。
【課題を解決するための手段】
【０００７】
上記課題を解決するための一手段は、少なくとも検出装置に対する接触面を導電性の材料により形成するとともに該接触面を押圧されて内方へ弾性的に変形する押圧変形部と、内方へ変形した際の前記押圧変形部の内面を受ける受部と、これら押圧変形部及び受部の後方側に接続された軸筒とを具備して、検出装置に情報を入力する入力ペンにおいて、前記受部は、前記押圧変形部の内面を受けて弾性的に変形するように形成されていることを特徴とする。
【発明の効果】
【０００８】
本発明は、以上説明したように構成されているので、ソフトで良好なタッチ感触を得ること、操作感触を向上すること、静電容量型位置検出装置に対する衝撃を緩和すること等、本発明の目的を達成することができる。
【図面の簡単な説明】
【０００９】
【図１】本発明に係る入力ペンの一例を示す全体図である。
【図２】同入力ペンの要部断面図である。
【図３】同入力ペンを静電容量型位置検出装置に押し付けて変形させた状態を示す要部断面図である。
【発明を実施するための形態】
【００１０】
本実施の形態の第一の特徴は、少なくとも検出装置に対する接触面を導電性の材料により形成するとともに該接触面を押圧されて内方へ弾性的に変形する押圧変形部と、内方へ変形した際の前記押圧変形部の内面を受ける受部と、これら押圧変形部及び受部の後方側に接続された軸筒とを具備して、検出装置に情報を入力する入力ペンにおいて、前記受部は、前記押圧変形部の内面を受けて弾性的に変形するように形成されている。
この構成によれば、押圧変形部は、静電容量型位置検出装置に押し付けられると、内方へ弾性変形する。すると、受部が、内方へ変形した際の押圧変形部の内面を受けて弾性的に変形する。よって、変形した押圧変形部が、剛性を有する芯材等に直接当接することがなく、ソフトで良好なタッチ感触を得ることができ、ひいては、タップ操作の際の操作感触を向上するとともに、静電容量型位置検出装置に対する衝撃を緩和することができる。
【００１１】
第二の特徴としては、より良好なタッチ感触を得るために、前記受部を、前記押圧変形部よりも硬い弾性材料により形成した。
【００１２】
第三の特徴としては、前記押圧変形部と前記受部との間に空間を設け、前記押圧変形部が内方へ変形した際に前記空間が狭まって前記押圧変形部の内面が前記受部に当接するようにした。
この構成によれば、押圧変形部がより変形し易くすくなるため、タッチ感触をより向上できる上、比較的広い接触面積を確保できるので静電容量型位置検出装置を良好に反応させることができる。
【００１３】
第四の特徴としては、前記押圧変形部は、弾性を有する材料からなる弾性部と、該弾性部を覆って前記接触面を形成する導電性繊維部とを具備してなる。
この構成によれば、静電容量型位置検出装置に接触しスライドした際の摩擦抵抗を、導電性繊維部により軽減することができ、ひいては、ドラフト操作やフリック操作の際の操作感触及び操作性を著しく向上することができる。
【００１４】
また、更に好ましい態様としては、押圧変形部の変形及び弾性的な復元を良好に行うために、前記押圧変形部と前記受部との間の前記空間を外気に連通させる。
【００１５】
また、更に好ましい態様としては、前記受部が軸筒側へ沈み込んでしまうようなことを防ぐために、前記軸筒には、前記受部を受けるようにして、硬質材料からなる芯材を固定する。
【００１６】
また、更に好ましい態様としては、前記受部の変形を容易に行うために、前記受部を筒状に形成し、その端縁部分によって前記押圧変形部の内面を受けるようにする。
【００１７】
また、更に好ましい態様としては、前記受部の変形性を損ねないように、前記芯材は、筒状の前記受部の内面を内側から受ける筒状又は軸状に形成され、その前端部を、前記受部の前端部よりも後方側に配置している。
【００１８】
また、更に好ましい態様としては、導電性繊維が容易に外れることのないように、前記軸筒の前端側に、前記導電性繊維を、軸筒径方向の内側と外側から挟む内側挟持部と外側挟持部とを設けた。
【００１９】
また、更に好ましい態様としては、導電性繊維の固定をより頑強にするために、前記内側挟持部と前記外側挟持部とのうち、その一方又は双方に、多数の凹凸を形成した。
【００２０】
次に、上記形態を具体化した好ましい実施例を、図面に基づいて詳細に説明する。
【実施例】
【００２１】
この入力ペン１は、図１及び図２に示すように、軸筒１０と、該軸筒１０の前端側に設けられて外方から押圧された際に内方へ弾性的に変形する押圧変形部２０と、内方へ変形した際の押圧変形部２０の内面を受ける受部３０と、受部３０をその内方側から受ける芯材４０と、押圧変形部２０及び芯材４０を軸筒１０の前端側に接続する接続部材５０と、軸筒１０の後端側に設けられた筆記部６０とを具備し、押圧変形部２０の外表面を静電容量型位置検出装置の検出面ａ（図３参照）に接触させる位置情報等を入力する。
なお、本明細書において「前」とは、軸筒１０の軸方向において押圧変形部２０を有する方向側（図１によれば下側）とし、「後」とは、その逆側（図１によれば上側）とする。
【００２２】
軸筒１０は、図示例によれば、外周にクリップ部１１ａを有する第一の軸体１１と、第一の軸体１１の後端部に回転可能に接続された第二の軸体１２とから筒状に形成されている。
第一及び第二の軸体１１，１２は、それぞれ略円筒状に形成され、第一の軸体１１内には、押圧変形部２０及び受部３０等を支持する構造を有し、第二の軸体１２内には、該第二の軸体１２の回転によって筆記部６０を出没させる構造を有する。
これら第一及び第二の軸体１１，１２は、本実施例によれば、導電性の金属材料（例えば、真鍮等）によって形成される。
なお、軸筒１０の他例としては、単一の筒状体からなる態様や、３以上の筒状体からなる態様とすることが可能である。
【００２３】
押圧変形部２０は、弾性を有する材料からなる弾性部２１と、該弾性部２１の外表面を覆って静電容量型位置検出装置に対する接触面を形成する導電性繊維部２２とを具備してなり、軸筒１０と同芯状となるように、当該入力ペン１の最前端部に設けられる。
【００２４】
弾性部２１は、エラストマー等（合成ゴムを含む）の弾性を有する材料から、薄肉な略凸状に形成され、その内面と後述する受部３０との間には、空間Ｓが確保される。
この弾性部２１の形状をより詳細に説明すれば、弾性部２１の前半部は、内部が中空の半球状に形成され、同弾性部２１の後半部は、円筒状に形成される。そして、弾性部２１の最後端部の内縁には、後述する受部３０を嵌め合せるように拡径された環状の段部２１ａを有する。
また、この弾性部２１の厚み及び硬度は、図３に示すように、押圧変形部２０が静電容量型位置検出装置の検出面ａに押し付けられた際に、容易に変形し、且つ、押圧変形部２０と検出面ａとの間に、静電容量型位置検出装置を反応させるための平坦な接触面積を確保するように、適宜に調整されている。
なお、本実施例の入力ペン１では、後述する導電性繊維部２２を導電性としているため、弾性部２１は導電性材料でなくてもよい。
【００２５】
導電性繊維部２２は、導電性を有する繊維（又は糸）を織ることによってシート状に形成され、弾性部２１を覆うとともに、その後端側が後述する芯材４０の後部に止着されている。
この導電性繊維部２２を構成する繊維は、例えば、銅やアルミニウム、黄銅等の導電性金属材料や、カーボン、導電性ポリマー等の導電性材料を含む繊維や、前記導電性材料によってコーティングされた繊維とすればよい。
【００２６】
受部３０は、押圧変形部２０（詳細には弾性部２１）よりも硬い弾性材料からなり、前側の筒部３１と、該筒部後端側の鍔部３２とから一体に形成され、押圧変形部２０の内面に対し空間Ｓを介して該押圧変形部２０と同芯状に設けられる。
この受部３０の材質は、上述した弾性部２１の材料と略同等のものであって、且つ弾性部２１よりも硬度の大きい弾性材料とすればよい。前記硬度は、内方へ変形した際の弾性部２１の内面をソフトに受けてタッチ感触を良好にするように適宜選定される。この受部３０も、特に導電性を有する材料でなくとも構わないが、導電性ゴムから形成してもよい。
【００２７】
筒部３１は、押圧変形部２０と略同芯の円筒状に形成され、その前端部と外周面とを、弾性部２１内面から離して配置している。
鍔部３２は、筒部３１よりも外径の大きい円環状に形成され、その外周部を、弾性部２１における後端側内面の段部２１ａに嵌め合せている。また、図示例によれば、この鍔部３２の後端面と弾性部２１の最後端面とは略面一である。
【００２８】
芯材４０は、本実施例では導電性金属材料（例えば、真鍮や、銅、アルミニウムや、これらを含む合金等）からなり、受部３０の筒部３１内面を内側から受ける前側筒部４１と、該前側筒部４１の後側に接続されるとともに前側筒部４１よりも大径の大径筒部４２と、該大径筒部４２の後側に接続されるとともに大径筒部４２よりも小径の後側筒部４３とから一体に構成される。
【００２９】
前側筒部４１は、受部３０の筒部３１に対し内側から嵌り合う円筒状に形成され、その前端部を、受部３０の前端部よりも後方側に配置している。この構成によれば、該前側筒部４１の前端側の部分を、図３に示すように、求心方向へ変形した際の筒部３１によって容易に弾性変形させることができる。
【００３０】
大径筒部４２は、その外周面に、所謂ローレット加工により多数の凹凸を有し、この凹凸を、後述する接続部材５０との間で導電性繊維部２２を挟む内側挟持部４２ａとしている。この凹凸状の内側挟持部４２ａによれば、導電性繊維部２２との摩擦抵抗を大きくして、導電性繊維部２２が容易に抜き取れないようにすることができる。
なお、内側挟持部４２ａは、図示例によれば、大径筒部４２の外径部分の前面に前記多数の凹凸を形成してなるが、他例としては、同外径部分の一部分に凹凸を形成した態様や、同外径部分に雄ネジ状の凹凸を形成した態様等とすることも可能である。
【００３１】
また、後側筒部４３は、大径筒部４２から後方へ突出するようにして設けられる。この後側筒部４３には、導電性繊維部２２の後端側部分が覆い被せられる。導電性繊維部２２の後端側部分は、後側筒部４３の最後端部を覆った状態で、大径筒部４２の後端面から後側筒部４３外周面に跨る範囲に接着される。この際、接着剤４４は、大径筒部４２と後側筒部４３の間の角部分に塗布される。この接着構造によれば、接着剤４４を前記角部分に集めて、接着剤４４の飛散を防止できる上、接着剤４４による接着効果を良好に得ることができる。
【００３２】
そして、これら前側筒部４１，大径筒部４２及び後側筒部４３内面の貫通孔４０ａは、上述した空間Ｓを軸筒１０内の空間へ連通している。この空間は、軸筒内の筆記部出没機構と軸筒１０内面との間等を通って、軸筒１０後端（図１の上端）等を介して外気に連通されている。
したがって、押圧変形部２０が押圧され内方へ変形した際、押圧変形部２０内の空間Ｓの空気は、当該入力ペン１の外部に排出される。このため、押圧変形部２０の変形を容易に行うことができる。また、押圧変形部２０が元の形に復元する際も、空間Ｓに外気を取り入れて、その復元を速やかに行うことができる。
【００３３】
接続部材５０は、軸筒１０と略同外径の円筒状の硬質部材であり、軸筒１０の前端部に、嵌合や螺合等の接続手段によって接続されている。
この接続部材５０の材質は、本実施例によれば、大径筒部４２同様に、導電性金属材料（例えば、真鍮や、銅、アルミニウムや、これらを含む合金等）としている。
この接続部材５０前側の円筒状の内面は、芯材４０外面の内側挟持部４２ａとの間に導電性繊維部２２を挟む外側挟持部５０ａとして作用する。
また、接続部材５０における外側挟持部５０ａよりも後側の内面は、若干拡径された段部５０ｂとなっており、この段部５０ｂは、導電性繊維部２２に覆われた大径筒部４２の後端面を受けている。
【００３４】
筆記部６０は、図示例によれば、ボールペンリフィールのチップである。この筆記部６０は、軸筒１０内に設けられる出没機構（図示せず）によって、軸筒１０の後端から出没する。前記出没機構は、図示例によれば、第一の軸体１１に相対する第二の軸体１２の回転操作により筆記部６０を出没する機構としているが、他例としては、ノック操作により筆記部６０を出没する機構等とすることも可能である。
【００３５】
次に上記入力ペン１における前部側の構造の組立手順について説明する。
先ず、芯材４０の前端側に受部３０が装着される。次に、芯材４０及び受部３０に対し、弾性部２１が被せられるようにして環状に圧入される。そして、弾性部２１及び前側筒部４１を覆うようにして導電性繊維部２２が装着される。
導電性繊維部２２の後端側は、上述したようにして芯材４０の後部側に接着される。この際は、接着剤４４は、導電性繊維部２２を装着する前に芯材４０に塗布してもよいし、導電性繊維部２２を装着した後に、導電性繊維部２２に染み込ませるようにしてもよい。
次に、外部が導電性繊維部２２によって覆われた芯材４０を、接続部材５０の前端側の内周面に圧入する。
そして、接続部材５０を軸筒１０の前端側に装着する。なお、接続部材５０は、予め軸筒１０に装着しておいても構わない。
【００３６】
次に、上記構成の入力ペン１について、その特徴的な作用効果を詳細に説明する。
静電容量型位置検出装置に対するタップ操作や、ドラッグ操作、フリック操作等のために、図３に示すように、押圧変形部２０を検出面ａに押し付ける、あるいは押し当てると、押圧変形部２０は、内部の空間Ｓを収縮させるようにして内方側へ変形する。この際、空間Ｓの空気は、芯材４０内の貫通孔４０ａ及び軸筒１０内の空間を通って軸筒１０外へ排出されるため、比較的軽い力で押圧変形部２０の変形が促進される。
そして、変形した押圧変形部２０は、その内面を、受部３０の前端に当接する。受部３０は、押圧変形部２０を受けて、筒部３１の前端側部分を求心方向へ凹ませるよにして容易に変形する。
よって、押圧変形部２０を変形させた際、該押圧変形部２０の内面は受部３０に当接するが、受部３０が仮に硬質材料である場合と比較し、その当接の際の違和感が少なく、その当接の際の衝撃も小さい。このため、ソフトで良好なタッチ感触及び操作感触を得ることができる上、静電容量型位置検出装置に対する衝撃を緩和して、静電容量型位置検出装置の損傷の可能性を低減できる。
しかも、押圧変形部２０の前端部が繊維（導電性繊維部２２）で覆われているため、静電容量型位置検出装置の検出面ａに接触しスライドした際の摩擦抵抗を軽減することができ、ひいては、ドラフト操作やフリック操作の際の操作感触及び操作性を著しく向上することができる。
【００３７】
なお、上記実施例によれば、検出面ａに対する摩擦抵抗を軽減するように弾性部２１の表面を導電性繊維部２２で覆って押圧変形部２０を構成したが、この押圧変形部２０の他例としては、単層の導電性弾性材料（例えば、導電性ゴム等）からなる態様や、三層以上の適宜材料からなる態様等とすることも可能である。
【００３８】
また、上記実施例によれば、弾性部２１の全外表面を導電性繊維部２２により覆って押圧変形部２０を構成したが、この押圧変形部２０は、少なくとも静電容量型位置検出装置の検出面ａに対する接触面を、導電性を有する材料により形成していればよく、他例としては、弾性部２１の一部を導電性繊維部２２により覆った態様や、弾性部２１の一部を導電性材料により形成した態様等とすることも可能である。
【００３９】
また、上記実施例によれば、特に好ましい態様として受部３０を押圧変形部２０の弾性部２１よりも硬い弾性材料から形成したが、この受部３０の他例としては、弾性部２１と同じ硬さ（硬度）の弾性材料から形成したり、弾性部２１よりも軟らかい（硬度の小さい）弾性材料から形成することも可能である。
さらに、受部３０の他例としては、コイルスプリングや、板バネによって弾性部２１の内面を弾性的に受ける態様とすることも可能である。
【００４０】
また、上記実施例によれば、特に好ましい態様として押圧変形部２０と受部３０との間に空間Ｓを設けたが、他例としては、空間Ｓを省いて、押圧変形部２０の内面を直接受部３０が受ける態様とすることも可能である。
【００４１】
また、上記実施例によれば、通常の筆記角度で用いられた場合に受部３０が良好に変形するように、受部３０の前端側を筒状に形成したが、他例としては、受部３０の前端側を弾性部２１の内面にならう半球状に形成したり、円柱状や他の形状に形成することも可能である。
【００４２】
また、上記実施例によれば、導電性繊維部２２の止着強度を向上し且つ製造性も良好な一例として、芯材４０外周の内側挟持部４２ａのみに凹凸を形成したが、他例としては、導電性繊維部２２の止着強度をより向上するために接続部材５０内面の外側挟持部５０ａにも凹凸を形成したり、あるいは、製造工数低減等のために内側挟持部４２ａ及び外側挟持部５０ａの双方の凹凸を省いたり等することも可能である。
【００４３】
また、上記実施例では、導電性繊維部２２、芯材４０、接続部材５０及び軸筒１０を導電性材料により形成して、導電性繊維部２２から軸筒１０までの導通性を確保したが、静電容量型位置検出装置を良好に反応させることができるようであれば、導電性繊維部２２以外の部位の材質を導電性材料以外の材料から形成することも可能である。
【００４４】
また、上記実施例では、導電性繊維部２２を十分な耐久性（引張強度や耐摩耗性等を含む）を有する材料とすることで、押圧変形部２０については基本的に部品交換不要としているが、他例としては、押圧変形部２０等を部品交換可能に構成することも可能である。この場合の一例としては、接続部材５０から前側の構成（すなわち、押圧変形部２０、受部３０、芯材４０及び接続部材５０）を一体の構成とし、接続部材５０を軸筒１０の前端に対し、例えば螺合や嵌合等の着脱可能な接続手段によって、接続すればよい。
【００４５】
また、上記実施例の入力ペン１は、静電容量型位置検出装置用として構成したが、この入力ペン１を、例えば抵抗膜型の位置検出装置等、静電容量型位置検出装置以外の検出装置に用いることも可能である。さらに、入力ペン１の先端形状、硬度等を適宜に変更して、特に抵抗膜型に対し入力し易くしたり、静電容量型と抵抗膜型の何れに対しても入力し易くしたり等することも可能である。
【００４６】
また、上記実施例の入力ペン１では、後部側にボールペン用リフィールを具備したが、他例としては、ボールペン用リフィールに換えて、シャープペンシル用リフィールを具備した態様や、サインペンや万年筆の筆記部を具備した態様、複数のボールペンリフィール及び／又はシャープペンシル用リフィールを具備して多機能筆記具（多色筆記具）とした態様、前記のような何れの筆記部も具備しない態様等することも可能である。
【符号の説明】
【００４７】
１：入力ペン                      １０：軸筒
２０：押圧変形部                  ２１：弾性部
２２：導電性繊維部                ３０：受部
４０：芯材                        ４２ａ：内側挟持部（凹凸）
５０：接続部材                    ５０ａ：外側挟持部
Ｓ：空間
【図１】
2014016728.tif 000003
【図２】
2014016728.tif 000004
【図３】
2014016728.tif 000005